(57)【特許請求の範囲】
【請求項１】
外側から所定の厚さ引込んだ収容部を有する機器本体と、
ディスプレー部を有し、前記ディスプレー部が前記収容部に向かい合う第１位置と、前記収容部に背を向ける第２位置で前記収容部に収容可能なディスプレーユニットと、
前記ディスプレーユニットが第１軸を基準にして前記収容部に対して開閉自在であり、第２軸を基準にして前記第１および第２位置に変換可能になるよう前記ディスプレーユニットを前記機器本体に連結するヒンジユニットと、
前記収容部に第１位置および第２位置に収容される前記ディスプレーユニットをロックさせるためのロックユニットとを含み、
前記ディスプレーユニットの外側には、前記ディスプレー部が前記収容部に向かい合っているときに、前記第１軸方向を基準にして相異なる高さに、周りに摩擦リブを備えた第１および第２ロック溝が形成され、
前記ロックユニットは、前記ディスプレーユニットの位置に応じて前記第１および第２ロック溝のいずれか１つと選択的にロック結合され、
前記ロックユニットは、
前記機器本体の後面に形成されたガイド孔を介して内外に出没可能に設けられ、前記第１および第２ロック溝に選択的にロック結合されるロックノブと、
前記機器本体内に設けられ、前記ロックノブが前記前記第１および第２ロック溝から分離されることを抑えるコイルバネと、
前記機器本体内に設けられ、前記ロックノブの移動をガイドし、前記コイルバネを保持して離脱を抑えるカバー部材とを含む
ことを特徴とする映像撮影装置。
【請求項２】
前記ロックユニットが、前記第１軸方向と並んだ前記収容部の幅の中心を基準にしていずれか一方に偏って配置されたことを特徴とする請求項１に記載の映像撮影装置。
【請求項３】
前記ロックユニットに隣接して設けられたメモリカードスロットを開閉させるよう、前記収容部の底を基準に回動自在なドアを更に含むことを特徴とする請求項１に記載の映像撮影装置。
【請求項４】
前記機器本体の内壁には、前記カバー部材の結合位置をガイドする位置決定リブが突設されていることを特徴とする請求項１に記載の映像撮影装置。
【請求項５】
前記機器本体の内壁には、前記ロックノブの移動をガイドするための１対のガイドリブが並んで突設されていることを特徴とする請求項１に記載の映像撮影装置。
【請求項６】
前記ロックノブが、
前記機器本体の外部に露出され、前記第１および第２ロック溝に選択的に結合されるロック突起を有するロック部と、
前記ロック部で延長され、前記ガイド孔を通じて出没可能に結合し、前記コイルバネが介在されるスリットを有するガイド部と、
前記ガイド部の他端で延長され、前記カバー部材にかけられて前記ロックノブが前記ガイド孔を介して抜けられることを防止する係止条とを含むことを特徴とする請求項１に記載の映像撮影装置。
【請求項７】
前記カバー部材が、
前記スリットに介在された前記コイルバネの一端を保持する保持突起と、
前記保持突起の反対側に設けられ、前記係止条が嵌められた状態で離脱されないようガイドするガイド孔とを含むことを特徴とする請求項６に記載の映像撮影装置。
【発明の詳細な説明】
【技術分野】
【０００１】
本発明は、映像撮影装置に関し、詳細には映像を表示するディスプレーユニットが機器本体に開閉自在に設けられた映像撮影装置に関する。
【背景技術】
【０００２】
一般に、カムコーダーのような映像撮影装置は、撮影される被写体の映像をテープやハードディスク、ＣＤ、メモリカードのような記録媒体に記録したり、この記録された映像データを再生することができる。最近、映像撮影機器の小型化および軽量化の流れと共に、記録媒体の技術発達に伴なってディスクやメモリカードを採用することのできる装置が開発および市販されている。係る映像撮影装置には、ユーザの目を近接させて映像を確認するビューファインダーとは別にディスプレーユニットを備えている。ここで、ディスプレーユニットは、映像撮影装置として、撮影中である映像または記録されて再生されている映像をディスプレーする。
【０００３】
前記機器本体には、ディスプレーユニットが開閉自在に収容される収容部が備えられる。前記ディスプレーユニットが前記収容部に密着した状態で第１軸を基準にしてほぼ９０°前後の角度で回動自在であり、収容部にてオープン状態で第１軸に直交する第２軸を基準にしても所定の角度回転自在に設けられる。
【０００４】
従って、前記ディスプレーユニットは、映像がディスプレーされるディスプレー面が収容にと向かい合う状態で収容されるか、または収容部について背を向いて収容される。
【０００５】
一方、前述のように、ディスプレーユニットが前記収容部に収容された状態でオープンされないよう、ロックするためのロックユニットが備えられる。前記ロックユニットは、通常、ディスプレーユニットに備えられるか、あるいは機器本体側に設けられるのが一般的である。
【０００６】
ところで、前述したように、前記メモリカードのような記録媒体を機器本体に挿入するためのメモリカードスロットなどを収容部に隣接して備える場合、前記ロックユニットを機器本体に設け難く、機器本体のサイズが増大し、外観上よくない問題がある。
【０００７】
また、ディスプレーユニットにロックユニットを備える場合、ディスプレーユニットのサイズが増大し、これも外観上よくない問題がある。
【特許文献１】日本公開特許平１１−１３３４９３公報
【特許文献２】日本公開特許平１１−１４６２３６公報
【特許文献３】韓国登録実用第２７３１４４公報
【特許文献４】韓国登録実用第１３０２１０公報
【発明の開示】
【発明が解決しようとする課題】
【０００８】
本発明は前述した問題点を解決するために案出されたもので、本発明の目的は、簡単な構成によりディスプレーユニットを機器本体についてロックさせることのできる、改善された映像撮影装置を提供することにある。
【課題を解決するための手段】
【０００９】
前述した目的を達成するための本発明に係る映像撮影装置は、外側から所定の厚さ引入された収容部を有する機器本体と、ディスプレー部を有し、前記ディスプレー部が前記収容部に向かい合う第１位置と、前記収容部に背を向ける第２位置で前記収容部に収容可能なディスプレーユニットと、前記ディスプレーユニットが第１軸を基準にして前記収容部に対して開閉自在であり、第２軸を基準にして前記第１および第２位置に変換可能になるよう前記ディスプレーユニットを前記機器本体に連結するヒンジユニットと、前記収容部に第１位置および第２位置に収容される前記ディスプレーユニットをロックさせるためのロックユニットと、を含むことを特徴とする。
【００１０】
ここで、前記ディスプレーユニットの外側には、前記第１軸方向を基準にして相異なる高さに第１および第２ロック溝が形成され、前記ロックユニットは、前記ディスプレーユニットの位置に応じて前記第１および第２ロック溝のいずれか１つと選択的にロック結合されることが好ましい。
【００１１】
また、前記ロックユニットが、前記第１軸方向と並んだ前記収容部の幅の中心を基準にしていずれか一方に偏って配置されたことが好ましい。
【００１２】
また、前記ロックユニットに隣接して設けられたメモリカードスロットを開閉させるよう、前記収容部の底を基準に回動自在なドアを更に含むことガ好ましい。
【００１３】
前記ロックユニットが、前記機器本体の後面に形成されたガイド孔を介して内外に出没可能に設けられ、前記第１および第２ロック溝に選択的にロック結合されるロックノブと、前記機器本体内に設けられ、前記ロックノブが前記第１および第２ロック溝から分離されることを抑える加圧部材と、前記機器本体内に設けられ、前記ロックノブの移動をガイドし、前記加圧部材を保持して離脱を抑えるカバー部材と、を含むことが好ましい。
【００１４】
また、前記機器本体の内壁には、前記カバー部材の結合位置をガイドする位置決定リブが突設されていることがよい。
【００１５】
また、前記機器本体の内壁には、前記ロックノブの移動をガイドするための１対のガイドリブが並んで突設されていることが好ましい。
【００１６】
また、前記ロックノブが、前記機器本体の外部に露出され、前記第１および第２ロック溝に選択的に結合されるロック突起を有するロック部と、前記ロック部で延長され、前記ガイド孔を通じて出没可能に結合し、前記加圧部材が介在されるスリットを有するガイド部と、前記ガイド部の他端で延長され、前記カバー部材にかけられて前記ロックノブが前記ガイド孔を介して抜けられることを防止する係止条と、を含むことが好ましい。
【００１７】
ここで、前記カバー部材が、前記スリットに介在された前記加圧部材の一端を保持する保持突起と、前記保持突起の反対側に設けられ、前記係止条が嵌められた状態で離脱されないようガイドするガイド孔と、を含むことが好ましい。
【発明の効果】
【００１８】
本発明による映像撮影装置によると、メモリカードスロットを開閉するドアとの干渉を避けながらも、ディスプレーユニットのロックユニットを設けることができる。
【００１９】
また、ディスプレーユニットに複数のロック溝を形成することによって、ディスプレーユニットが収容部に収容される位置とは関係なく、ロックユニットによりディスプレーユニットをロックさせることができる。
【００２０】
また、ロックユニットの場合、加圧部材を機器本体内に設けて、カバー部材によりガイドする構成であって、外観にロックユニットの露出を最小化できる。そして、カバー部材の場合、ドアを保持するブラケットによって一部が保持されることにより、部品数を最小化することができ、従って、その構造が簡単ながらも容易に組み付けることができると同時に、生産性が向上される利点をもつ。
【発明を実施するための最良の形態】
【００２１】
以下、添付の図面に基づいて本発明の好適な実施形態を詳述する。
【実施例】
【００２２】
図１、図２、および図３に示すように、本発明の実施形態に係る映像撮影装置は、機器本体１０と、ディスプレーユニット２０と、該ディスプレーユニット２０を機器本体１０についてロックおよびロック解除するためのロックユニット３０を備えてなる。
【００２３】
機器本体１０は、一方面にディスプレーユニット２０が収容される収容部１１を有する。この収容部１１はディスプレーユニット２０と対応する形状で映像機器本体１０の外側から所定深さ引入されて形成される。
【００２４】
また、収容部１１の一方にはディスプレーユニット２０を２軸回転可能に保持するためのヒンジユニット１３が設けられる。即ち、ヒンジユニット１３はディスプレーユニット２０を互いに直交するＸ軸（第１軸）とＹ軸（第２軸）それぞれについて所定の角度回動自在に保持する。
【００２５】
機器本体１０には、映像データを取得するカメラユニット（図示せず）、ユーザの目を近接させて映像を確認するビューファインダー（図示せず）、および取得した映像データを保存および再生することのできる映像処理装置および記録媒体が取り付けられる。図１において、図面符号１２はビューファインダーの入口に備えられたビューファインダーキャップを示す。
【００２６】
そして、図１において、図面符号１５は記録媒体の一例であって、メモリカード４０（図２参照）を機器本体１０内に挿入するためのメモリカードスロット１４（図２参照）を開閉するためのドアを示す。ドア１５は収容部１１の底面と機器本体１０の後面１０ａにかけて設けられる。ドア１５は図１に仮想線で示したように、収容部１１側に回動されてメモリカードスロット１４を開放させるべく設けられる。
【００２７】
ディスプレーユニット２０は、ディスプレーユニット部２１とこのディスプレー部２１を保持するケース２２を含む。ここで、ディスプレー部２１はカメラユニット（図示せず）から撮影される映像データをディスプレーしたり、記録媒体４０に保存された映像データをディスプレーする。ディスプレー部２１は一般にＬＣＤを含む。
【００２８】
ディスプレーユニット２０は、Ｙ軸を基準にしてはほぼ９０°回動自在であり、Ｘ軸を基準にしてはほぼ２７０°程度回動自在に設けられる。従って、ディスプレーユニット２０は、ディスプレー部２１が収容部１１の底面に向かい合う状態で（第１位置）収容部に収容される。また、ディスプレーユニット２０はディスプレー部２１が収容部１０の底面について背を向ける状態で（第２位置）収容部１１に収容されることもできる。
【００２９】
ロックユニット３０は収容部１１に収容されたディスプレーユニット２０がオープンされないようロックするためのものである。上記ロックユニット３０は、機器本体１０の後面１０ａに貫通形成されたガイド孔１７を介して機器本体１０の内外に出没可能に設けられるロックノブ３１と、ロックノブ３１を機器本体１０内に弾性加圧する加圧部材３３と、機器本体１０内に設けられ、加圧部材３３とロックノブ３１を囲んで保持するカバー部材３５と、を備える。
【００３０】
図４Ａおよび図４Ｂに示すように、ロックノブ３１は、機器本体１０の外側に露出されるロック部３１ａと、該ロックｂ３１ａで延びて機器保体１０内で摺動する摺動部３１ｂを有する。ロック部３１ａには、ディスプレーユニット２０のケース２３に形成された第１および第２ロック溝２４，２５のいずれか１つと結合されるロック突起３１ｃが突設されている。
【００３１】
ここで、ドア１５が機器本体１０の後側に設けられることから、ガイド孔１７がドア１５の上方に形成される。従って、ロックユニット３０はＹ軸を基準にして装着部１１の上方に偏って設けられる。よって、上部に偏って設けられたロックノブ３１のロック突起３１ｃに対応するよう、ディスプレーユニット２０のケース２１の側面にはＹ軸方向中心を基準にして上下対称すべく第１および第２ロック溝２４，２５が備えられる。即ち、ディスプレー部２１が収容部１１に向かい合っているか、あるいは背を向いているかに応じてロック突起３１ｃは２つのロック溝２４，２５のいずれかと結合される。
【００３２】
一方、ロックノブ３１のガイド部３１ｂは、ガイド孔１７を介して機器本体１０内に挿入され、挿入された状態で内外に摺動自在になる。このガイド部３１ｂには、出没方向にスリット３１ｄが形成される。そして、ガイド部３１ｂの内側端部には、係止条３１ｅが折り曲げ形成されている。スリット３１ｄには、加圧部材３３、即ちコイルバネが介在される。係止条３１ｅは、カバー部材３５のガイド孔３５ａから抜けないよう、その終端が折り曲げられている。従って、ガイド部３１ｂは機器本体１０内外に所定の距離摺動自在であり、ガイド孔１７から抜けることはない。
【００３３】
加圧部材３３は、スリット３１ｄに介在された状態で、ロックノブ３１が機器本体１０の外部に抜けることを抑えるためにロックノブ３１を弾性加圧する。この加圧部材３３は、スリット３１ｄに介在された状態で、一端は前記ガイド部３１ｂに接触し、他端はカバー部材３５に接触保持される。従って、ロックノブ３１が、図５Ａおよび図５Ｂに示すように、機器本体１０から所定の距離抜け出るよう移動すると、加圧部材３３はカバー部材３５に接した状態であることから圧縮される。
【００３４】
カバー部材３５は、機器本体１０内にネジ結合され、ロックノブ３１の一部と加圧部材３３を覆って離脱を抑えると同時に、その動きをガイドする。このカバー部材３５は機器本体１０の内壁に密着して結合し、係止条３１ｅが嵌められてガイドされるガイド孔３５ａと、加圧部材３３の一端を接触保持する保持突起３５ｂと、を有する。また、カバー部材３５は、外側から延びてネジ結合する１つのネジ孔３５ｃを有する。
【００３５】
機器本体１０の内部にはカバー部材３５の収容位置を決定するための位置決定リブ１８が所定形状で突設されている。位置決定リブ１８には、ネジ孔３５ｃに対応する締結ボス１８ａが備えられる。締結ボス１８ａにはネジホルが形成されている。カバー部材３５は、位置決定リブ１８と共に機器本体１０の内壁で突設して形成されるメモリカードスロット１４の外壁１４ａによってもガイドされて保持されることができる。そして、図２および図３に示すように、機器本体１０の内側においてドア１５を回転自在に保持するためのブラケット５０が結合され、該ブラケット５０の終端によりカバー部材３５の上部に突出された保持突起３５ｄが押されることによって、カバー部材３５は１つのネジにより締結されるとしても揺れることなく固定される。
【００３６】
また、機器本体１０の内壁にはガイド部３１ｂの移動をガイドするための１対のガイドリブ１９が突設されている。このガイドリブ１９は機器本体１０の内側からほぼ１〜２ｍｍ程度突出され、所定の距離離隔した状態で並んで配置される。
【００３７】
前記構成を有する本発明の実施形態に係る映像撮影装置の作用効果について詳説する。
【００３８】
本発明の映像撮影装置の場合、ディスプレーユニット２０の外側には第１および第２ロック溝２４，２５が異なる高さに備えられている。そして、ロックユニット３０がドア１５の上方に備えられることによって、収容部１１の上下幅の中心を基準にして上方に偏って配置されている。従って、図１に示すように、ディスプレーユニット２０が第１位置の状態で収容部１１に収容されると、第１ロック溝２４がロックユニット３０とロック結合されることとなる。
【００３９】
ロック結合時、図４Ｂおよび図５Ｂに示すように、ディスプレーユニット２０が閉じられる力によって、ロック部３１ａが機器本体１０内で瞬間に突出してから元の位置に戻り、ロック突起３１ｃと第１ロック溝２４が、いわゆるワンタッチでロック結合される。
【００４０】
ロック突起３１ｃと第１ロック溝２４とが結合された状態では、加圧部材３３の加圧力によりロック突起３１ｃがロック溝２４から抜けられることが防止される。
【００４１】
そして、ディスプレーユニット２０を再度開ける場合には、第１および第２ロック溝２４，２５の周りに備えられた摩擦リブ２７に手を密着させた状態で、ディスプレーユニット２０をＹ軸を基準に回転させる。すると、ディスプレーユニット２０が強制的に収容部１１から離れようとする力により、ロックノブ３１が図５Ａおよび図５Ｂで示すように、機器本体１０内から引き出されてロック突起３１ｃが第１ロック溝２４から分離される。即ち、ユーザが直接ロックノブ３１を移動させる必要がなく、ディスプレーユニット２０を収容部１１に収容させるか、収容された状態で強制的にオープンする場合に、ディスプレーユニット２０の動く力によりロックノブ３１が強制に動きながらロック溝２４，２５とロック突起３１ｃとが結合または分離される。
【００４２】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４３】
【図１】本発明の実施形態に係る映像撮影装置を示す概略的な斜視図である。
【図２】図１の腰部を抜粋して示す分離斜視図である。
【図３】図１において機器本体の内部を抜粋して示す結合斜視図である。
【図４Ａ】図２および図３に示すロックユニットがディスプレーユニットと結合された状態を示す断面図である。
【図４Ｂ】図２および図３に示すロックユニットがディスプレーユニットと結合された状態を示す断面図である。
【図５Ａ】図２および図３に示すロックユニットがディスプレーユニットと分離された状態を示す断面図である。
【図５Ｂ】図２および図３に示すロックユニットがディスプレーユニットと分離された状態を示す断面図である。
【符号の説明】
【００４４】
１０      機器本体
１１      収容部
１３      ヒンジユニット
１４      スロット
１５      ドア
２０      ディスプレーユニット
２１      ディスプレー部
２２      ケース
３０      ロックユニット
３１      ロックノブ
３３      加圧部材
３５      カバー部材
【図１】
0004459920.tif 000002
【図２】
0004459920.tif 000003
【図３】
0004459920.tif 000004
【図４Ａ】
0004459920.tif 000005
【図４Ｂ】
0004459920.tif 000006
【図５Ａ】
0004459920.tif 000007
【図５Ｂ】
0004459920.tif 000008